(57)【要約】  本発明は、一般的に、潜在的なエンドユーザへ情報を提供するのに用いられる１又は２以上のＲＦＩＤデバイスを含むことができる、複数要素の剥離及び再シールラベル集合体を生成する方法及びシステムに関する。集合体は、固定又は不定情報を印刷することができる、複数の情報を含むシート又は層を備えることができる。【選択図】図２ａ
2018522277.tif 000002
【特許請求の範囲】
【請求項１】
物品に付着させるための表面領域の全て又は略全てに設けられた接着剤を有するベース層と、
前記ベース層上に積み重ねられ、印刷された固定情報又は不定情報のうちの少なくとも１つを有する少なくとも１つの情報層と、
前記ベース層又は複数の情報層のうちの少なくとも１つに関連付けられた少なくとも１つのＲＦＩＤデバイスと、を備えるラベル集合体であって、
前記ベース層及びそれに続く情報層は、前記ベース層又は前記情報層のうちの少なくとも１つの、少なくとも１つの縁部に接近して設けられた接着剤によって恒久的に結合され、前記情報層の表面は、接着剤によって恒久的に結合された箇所以外は、繰り返し剥離及び再シールするように構成されている、ラベル集合体。
【請求項２】
前記情報層の各々は、前記ベース層の半径よりも小さい半径の角部を有する、請求項１に記載のラベル集合体。
【請求項３】
前記層の各々は、印刷された異なる言語の情報を含む、請求項１に記載のラベル集合体。
【請求項４】
前記情報層の各々は、前記ベース層及び前記ベース層との間にある任意の情報層の半径よりも小さい半径の角部を有する、請求項１に記載のラベル集合体。
【請求項５】
前記少なくとも１つのＲＦＩＤデバイスは、前記ベース層に関連付けられかつ遠距離場ＲＦＩＤデバイスである、請求項１に記載のラベル集合体。
【請求項６】
前記情報層の各々に関連付けられた近距離場ＲＦＩＤデバイスをさらに備え、前記近距離場ＲＦＩＤデバイスは、前記ベース層の前記遠距離場ＲＦＩＤデバイスと結合する、請求項４に記載のラベル集合体。
【請求項７】
前記情報層は、取扱表示、成分情報、可燃性又は燃焼情報、法定又は規制情報のうちの少なくとも１つを含む、請求項１に記載のラベル集合体。
【請求項８】
ラベル集合体を生成する方法であって、
接着剤及び剥離ライナーを有する材料ウェブを準備する段階と、
前記材料ウェブを第１のダイステーションに進めて、前記材料ウェブを個別の層にダイカッティングする段階と、
前記材料ウェブの接着剤をペーパーストックでカバーする段階と、
前記材料ウェブをライナー材料に積層する段階と、
前記材料ウェブをスリット付けする段階と、
前記個別の層をスタックにまとめてラベル集合体を作成する段階と、
複数のＲＦＩＤデバイスを含むウェブを準備する段階と、
少なくとも１つのスタックを少なくとも１つのＲＦＩＤデバイス上に配置する段階と、
前記少なくとも１つのＲＦＩＤデバイスを備えた前記少なくとも１つのスタックを、テスト及びエンコーディングステーションに進める段階と、
前記ＲＦＩＤデバイスをテストして、ＲＦＩＤデバイスに対して消費財に関する情報をエンコーディングする段階と、
前記ＲＦＩＤデバイスを備えた前記ラベル集合体を集め、前記ラベル集合体を物品に取り付ける段階と、を含む方法。
【請求項９】
欠陥のあるＲＦＩＤデバイスにマーク付けする段階と、前記欠陥のあるＲＦＩＤデバイスをベースロールから除去する段階と、前記欠陥のあるＲＦＩＤデバイスが無い前記ベースロールを接合する段階と、をさらに含む、請求項８に記載の方法。
【請求項１０】
近距離場デバイスを前記個別の層のうちの少なくとも１つに取り付ける段階をさらに含む、請求項８に記載の方法。
【請求項１１】
遠距離場ＲＦＩＤデバイスを前記個別の層のうちの少なくとも１つに取り付ける段階をさらに含む、請求項８に記載の方法。
【請求項１２】
積層後にウェブ上に固定情報又は不定情報のうちの少なくとも１つを印刷する段階をさらに含む、請求項８に記載の方法。
【請求項１３】
前記印刷する段階において、取扱表示、成分情報、可燃性又は燃焼情報、法定又は規制情報のうちの少なくとも１つを含む、請求項１２に記載の方法。
【請求項１４】
前記印刷する段階は、前記個別の層の各々に異なる言語で印刷することを含む、請求項１２に記載の方法。
【請求項１５】
物品に付着させるための表面領域の全て又は略全てに設けられた接着剤を有するベース層と、
前記ベース層上に積み重ねられ、各々が印刷された固定情報領域又は不定情報領域のうちの少なくとも１つを有し、前記固定情報領域は少なくとも２つの異なる言語で生成される、複数の情報層と、
を備えるラベル集合体であって、
前記ベース層及びそれに続く情報層は、前記ベース層又は前記情報層のうちの少なくとも１つの、少なくとも１つの縁部に接近して設けられた接着剤によって恒久的に結合され、複数の情報層の表面は、接着剤によって恒久的に結合される箇所以外は、繰り返し剥離及び再シールするように構成されている、ラベル集合体。
【請求項１６】
固定情報の少なくとも一部分は、衣類取扱表示をさらに含む、請求項１５に記載のラベル集合体。
【請求項１７】
印刷された不定情報は、バーコード又は通し番号を含む、請求項１５に記載のラベル集合体。
【請求項１８】
印刷された不定情報は、異なる言語を含む、請求項１５に記載のラベル集合体。
【発明の詳細な説明】
【技術分野】
【０００１】
（関連出願）
本出願は、２０１５年７月７日出願の米国仮出願番号６２／１８９，６６８の利益を主張するものであり、その開示内容全体は引用によって本明細書に組み込まれている。
【０００２】
（技術分野）
本発明は、ラベル集合体に関する。
【背景技術】
【０００３】
従来の感圧ラベルを含むラベルは、一般に、基材又は表面層（表面基材）、表面層に粘着する粘着層、及び粘着層に取り外し可能に粘着する保護剥離ライナーを含むラベルストックから作られる。ラベルストックは、一般に連続形式又はロール形態で提供される。個別のラベルは、表面層及び粘着層をダイカッティングし、次に、周囲の廃棄基材を除去して剥離ライナーに粘着した個別のラベルを残すことによって作ることができる。
【発明の概要】
【発明が解決しようとする課題】
【０００４】
しかしながら、この方法で形成されたラベルは、単一の機能層だけ、換言すると情報を印刷できる単一層だけを有する。
【０００５】
また、異なるテキスト情報（例えば複数の言語）もつ個別のラベルのセットを、物体に付着するためのスタックに構成することが必要となる場合がある。各ラベルのうちの１つに遠距離場（far field）長距離ＲＦＩＤデバイスを包含させることが知られているが、複数の遠距離場ＲＦＩＤデバイスでは互いに強く相互作用して離調（de-tune）するので、複数の遠距離場ＲＦＩＤデバイスは使用することができない。ラベル内に複数のデバイスを設けることは、全てのラベルが存在するか否か、又はこれらラベルが構造体の異なる部品に個々に関連するか否かを判定するのに望ましい。例えば、共通の箱の中に部品一式を与える必要があり、各部品からラベルが取り外されて、全ての構成要素の識別情報を保持する共通のスタックに組み合わされる。もしくは、スタックを分解することなく、スタックにあることが見込まれる全てのラベルが存在することを決定する必要がある。
【課題を解決するための手段】
【０００６】
本開示は、一般的に、複数要素の剥離及び再シールラベル集合体を生成する方法及びシステムに関し、集合体は、潜在的なエンドユーザへ情報を提供するのに用いるための１又は２以上のＲＦＩＤデバイスを含むことができる。集合体は、固定又は不定（可変）情報を印刷することができる複数の情報シート（即ち、層）を備えることができる。
【０００７】
１つの例示的な実施形態において、ラベル集合体が説明され、ラベル集合体は、物品に付着させるために表面領域の全て又は実質的に全てに配置された接着剤を有するベース層を含む。ラベル集合体は、ベース層上に積み重ねられ、印刷された固定又は不定情報のうちの少なくとも１つを有する少なくとも１つの情報層を備える。少なくとも１つのＲＦＩＤデバイスが、ベース層又は複数の情報層のうちの少なくとも１つに関連付け又は一体にされる。ベース層及びそれに続く情報層は、ベース層又は情報層のうちの少なくとも１つの、少なくとも１つの縁部に接近して配置された接着剤によって恒久的に結合され、情報層の表面は、接着剤によって恒久的に結合される箇所以外は、繰り返し剥離及び再シールするように構成される。
【０００８】
本発明の他の態様において、ラベル集合体を生成する方法が説明され、本方法は、接着剤及び剥離ライナーを有する材料ウェブを準備する段階と、次に、材料ウェブを第１のダイステーションに進めて、材料ウェブを個別の層にダイカッティングする段階と、を含む。次に、材料ウェブの接着剤をペーパーストックでカバーし、材料ウェブをライナー材料に積層する。次に、材料ウェブをスリット付けし、個別の層をスタックにまとめてラベル集合体を作成する。次に、複数のＲＦＩＤデバイスを含むウェブを準備し、少なくとも１つのスタックを少なくとも１つのＲＦＩＤデバイス上に配置する。少なくとも１つのＲＦＩＤデバイスを備えた少なくとも１つのスタックをテスト及びエンコーディングステーションに進め、ＲＦＩＤデバイスをテストして、ＲＦＩＤデバイスに対して消費財に関する情報をエンコーディングする。最後に、ＲＦＩＤデバイスを備えたラベル集合体を集め、これらラベル集合体を物品に取り付ける。
【０００９】
本発明の別の実施形態において、ラベル集合体が説明され、ラベル集合体は、物品に付着させるために表面領域の全て又は実質的に全てに配置された接着剤を有するベース層を含む。ラベル集合体は、ベース層上に積み重ねられ、各々が印刷された固定又は不定情報領域のうちの少なくとも１つを有し、固定領域は少なくとも２つの異なる言語で生成される複数の情報層を備える。ベース層及びそれに続く情報層は、ベース層又は情報層のうちの少なくとも１つの、少なくとも１つの縁部に接近して配置された接着剤によって恒久的に結合され、情報層の表面は、接着剤によって恒久的に結合される箇所以外は、繰り返し剥離及び再シールするように構成される。
【００１０】
本発明の他の特徴及び利点は、当業者には以下の詳細な説明から明らかになるはずである。しかしながら、種々の実施形態及び特定の実施例は、本発明の好ましい他の実施形態を示すが、限定的ではなく例示的であることが理解される。本発明の範囲内の多くの変形及び変更は、その精神から逸脱することなく行うことができ、本発明はこうした全ての変更例を含む。
【００１１】
本発明の実施形態の利点は、以下の例示的な実施形態の詳細な説明から明らかになるはずである。以下の詳細な説明は、添付図面と一緒に検討する必要がある。
【図面の簡単な説明】
【００１２】
【図１】本発明のラベル集合体を作るための製造方法を示すプロセス及び巻き取り図を示す。
【図１ａ】図１の製造方法で作られたウェブ集合体を示す。
【図１ｂ】ＲＦＩＤデバイスを備えたラベル集合体の組み立てのための概略を提示する。
【図２】本システム及び説明される手法で生成することができるラベル集合体を示す。
【図２ａ】消費財に取り付けられた本発明のラベル集合体を提示する。
【図３】アンテナを備えたＲＦＩＤデバイスを有するラベルの層をさらに示す。
【図４】ラベルの複数の層を断面図であり、各層がＲＦＩＤデバイスを備えている。
【図５】遠距離場アンテナ構造及びラベルの他の層の近距離場アンテナの他の配置を示す。
【図６】本発明のラベル集合体の他の実施形態を示す。
【発明を実施するための形態】
【００１３】
本発明の態様は、本発明の特定の実施形態を対象とする以下の説明及び関連の図面に開示される。本発明の精神又は範囲から逸脱することなく他の実施形態を考えることができる。加えて、本発明の例示的な実施形態の良く知られた要素は、本発明の関連する細部を不明瞭にしないように、以下では詳細に説明しないか又は省略されている。さらに、明細書の理解を容易にするために、以下に本明細書で使用されるいくつかの用語を説明する。
【００１４】
本明細書で使用される場合、用語「例示的な」は、「実施例、事例、実例として役立つこと」を意味する。本明細書に記載の実施形態は限定的ではなく、むしろ単に例示的である。記載されている実施形態は、必ずしも他の実施形態よりも好ましいか又は好都合であると解釈されないことを理解されたい。さらに、用語「本発明の実施形態」、「実施形態」、又は「発明」は、本発明の全ての実施形態が、説明される特徴、利点、又は動作モードを含むことを必要としない。
【００１５】
少なくとも１つの例示的な実施形態に従って、概して図面を参照すると、ワンパスの剥離及び再シールラベルベースロールを生成する方法及び装置が、この方法及び装置によって生成された結果として得られたラベル集合体と共に記載される。一部の例示的な実施形態において、ラベル集合体は、変更可能な数の開閉可能な層を含むことができる。開閉性能は、抵抗性に対して中立性又はほぼ中立性であり、剥離及び再シール特性を失うことなく繰り返して開けることができる。好ましくは、ラベル構造の層並びにその剥離及び再シール態様は、約１０回の開閉又は再シールに関して機能する必要がある。
【００１６】
ここで例示的な図１を参照すると、剥離及び再シールラベルベースロール生成装置１００を設けることができる。転写テープは、第１の送り込み位置１０４から送り込むことができる。転写テープ１０２は、随意的に、表面上に設けられた粘着層を有することができる。例えば、粘着層は、恒久的な感圧接着剤とすることができる。１つの例示的な恒久的感圧接着剤は、Ａｖｅｒｙ  Ｄｅｎｎｉｓｏｎ社から入手可能なＳ４９０とすることができる。しかしながら、当業者であれば理解できるような他の接着剤を使用することができる。転写テープ１０２の寸法は必要に応じて様々とすることができ、個別の装置１００の特性及び能力に依存することができる。一部の例示的な実施形態において、転写テープ１０２の幅は約１６６ｍｍとすることができる。送り込み位置から到来する転写テープ１０２のウェブには、随意的に所望のコンテンツを事前に印刷することができる。転写テープ１０２は、端部案内ローラー１０６を通って第１のダイステーション１０８に進むことができる。第１のダイステーション１０８において、転写テープ１０２の剥離ライナーなどの上部ライナーは、カッティング又はスリット付けを行うことができ、粘着層が露出する。例示的な実施形態において、剥離ライナーは、シリコーン塗布ライナー、又は当業者であれば理解することができる他の適切なライナーとすることができる。彫り込み固定式キスカッティングダイカッター又はスリット付けツールを使用して、ダイステーション１０８でカッティング又はスリット付けを行うことができる。ダイステーション１０８でカッティング又はスリット付けによって形成されたパターンは、何らかの所望の恒久的接着剤の仕様に適合することができる。
【００１７】
一部の例示的な実施形態において、恒久的接着剤は、恒久的な又は実質的に恒久的な接着剤ストライプを作ることができ、このストライプは、ラベルの縁部に沿って例えば機械方向に延在することができる。ラベル集合体が形成される際に、接着剤ストライプによって、複数のラベル層をラベルの縁部に沿って一緒に固定することができる。例示的な実施形態において、ラベル集合体のラベル基層は、物品に取り付けるために、接着剤が表面領域の全て又は実質的に全てをカバーしている。これはラベル集合体を物品に恒久的に接着するのを助長することができる。もしくは、ラベル集合体の基層は、ラベルの簡単な取り外しを可能にする取り外し可能な接着剤又は脆弱な接着剤を備えることができ、ラベルが取り付けられた物品から分離されると、ラベル集合体は再付着できず、塗布領域は、接触に対してもはや粘着性を有することができない。
【００１８】
本明細書で使用される場合、用語「機械方向」は、開始材料の繰り出しからウェブの回収まで、機械を通過してウェブが進む方向を指すことができる。例えば、ウェブを横切る４つの接着剤ストライプが存在すること、もしくは組み立てられる製品の最終構成、又は製品を製造する機械の能力に基づいて、必要に応じて任意の他の数の接着剤ストライプが存在することができる。加えて、一部の例示的な実施形態において、恒久的接着剤ストライプ又は複数のストライプのうちの１又は２以上は、本、雑誌などの背表紙と同様の剥離及び再シールラベルの背として機能することができる。
【００１９】
さらに例示的な図１を参照すると、上部ライナーにスリット付けを行った後、ライナー１１０、並びに何らかの基材は、例えば廃棄物として取り外して巻き取ることができ、又はリサイクルのために集めることができる。ライナーの取り外しは、前述のように、表を上にした様式で接着剤ストライプを曝して露出させることができる。一部の例示的な実施形態において、接着剤ストライプの幅は約５ｍｍとすることができる。
【００２０】
剥離可能なペーパーストック１１２は、ライナーが剥がされて巻き取られることができる。例示的な実施形態において、剥離可能ペーパーストック１１２は、例えば低粘着性の超剥離可能ペーパーストックとすることができる。さらに、ウェブの幅は、任意の他の所望の寸法にできることに留意されたい。例示的な実施形態において、ウェブの幅は、例えば約１６０ｍｍとすることができる。次に、転写テープ１０２は、表面に積層する（ｏｖｅｒ  ｌａｍｉｎａｔｅ）ことができ、剥離可能ペーパーストック１１２の露出した接着剤面が、露出した恒久的接着剤ストライプを備えた転写テープ１０２を覆うようになっている。
【００２１】
さらに例示的な図１を参照すると、ウェブは、ローラー１１３によってニップ部分１１４へ進ませることができる。ニップ部分１１４の後で、何らかの残余の転写テープライナー１１６を例えば下部から剥ぐことができ、次に巻き取ってリサイクル用に集めることができる。両方のライナーは同時に移動することができる。加えて、ペーパーストックは超剥離接着剤を使用することができるので、ライナーは、ペーパーストック表面材から所望の方法で剥離することができる。
【００２２】
集合体の下部からのライナーが剥がされた後、ウェブは、例えばプラズマ又は他の付着防止コーティングローラーであるローラー１１８上に搬送して、その後に新規ライナー１２０上に積層することができる。新規ライナー１２０は、第２の送り込み位置から送り込むことができる。一部の例示的な実施形態において、本明細書で用いる新規ライナーは、他の形成プロセスから再生した廃棄物とすること、又は未使用材料とするができる。
【００２３】
次に、さらなる例示的な実施形態において、ウェブは、ニップロール１２２を通って進むことができる。ウェブは、さらにダイカッティングもしくは他のカッティング又はスリット付けユニット１２４に進むことができ、ダイカッティング又はスリット付けを行うことができる。ダイカッティングの後、廃棄基材（ｍａｔｒｉｘ  ｗａｓｔｅ）１２６を取り外すことができ、所望のラベルウェブ１２８を形成して集めることができる。このため、本明細書に記載の例示的な実施形態に位置合わせした機械方向を利用する必要がない場合もある。代わりに、交差する位置合わせを利用して、恒久的接着剤を例えばダイカットラベルの下向き左側に位置決めしてラベル構造の背又は縁部を潜在的に形成することができる。次に、ウェブは、２つのラベルにスリット付けされるか又はカットされ、アップフォーマットされ、次に、巻き取り機、例えばタレット巻き取り機を用いて巻き取ることができる。
【００２４】
ここで例示的な図１ａを参照すると、ウェブ１２８は、図１の説明に従って行った製造プロセスのダイカッティング終了後に形成することができる。ウェブは、複数の分離したラベル層１３０、１３２、１３４、１３６、１３８、１４０、１４２、１３０ａ、１３２ａを含むことができる。例示的な図１ａに示すウェブ１２８の構成は、７層のラベル集合体をもたらすことができる。各層は、生産工程のための所望の数のアッセンブリに応じてウェブ１２８上で繰り返すことができる。層１３０−１４２の各々は、以下で例示的な図２−２Ｂにおいて説明して示すように、少なくとも１つの角部において、減少する角部半径を有することができる。各層の減少する角部半径は、ラベル集合体内の連続する層からの各層の分離又は剥ぎ取りを容易にすることができる。また、シート、即ち層は、前述のように、接着剤パターンを備え、ラベル集合体を生成するためにシートをスタックの形にするのを容易にする。一部の例示的な実施形態において、シート又は層は、ポストフィニッシングラベルアプリケータを使用して層状にすることができる。
【００２５】
ラベル集合体上に提示される固定及び／又は不定（可変）情報は、ベースロールフォームのときに個別の層の上に印刷される。印刷されると、個別の層又はシートは、真空タンプ／吸引パッド上に集められ、次の処理に備えて用意することができる。
【００２６】
ここで、例示的な図１ｂを参照すると、ラベル集合体にＲＦＩＤデバイスを加えることができる。例示的な実施形態において、ＲＦＩＤデバイスは、表面に容易に付着することができるように、インレイ上に感圧コーティングを含む「ウェットインレイ」とすることができる。ＲＦＩＤデバイス又はウェットインレイは、第１のウェブ１７０上に設けることができる。ＲＦＩＤデバイス１７２は、機械方向に進むことができ、タンプアッセンブリ部分１８０に進む前にテストすることができる。タンプアッセンブリ部分１８０において、第１の層をＲＦＩＤデバイス１７２上に置くことができ、このプロセスを繰り返すこと、もしくは所望のラベル集合体の他の層を第１の層上に重ね合わせることができる。
【００２７】
ラベル集合体１８１の完成後、１又は２以上のＲＦＩＤデバイスを含むラベル集合体は、ＲＦＩＤデバイスが作動していることを検証するための及びＲＦＩＤデバイスのエンコードのためのステーションに移動することができる。ウェブ上のＲＦＩＤデバイスは、ＲＦＩＤが適切に通信しているか否かを判定するために、リーダー／スキャナー１８５及びアンテナ組立体１８６を使ってテストすることができる。例示的な実施形態において、リーダー／スキャナー１８５は、バーコードスキャナーとすることができる。ＲＦＩＤデバイスが使用可能であると判定されると、ＲＦＩＤデバイスに対して情報をエンコードすることができ、このような情報は、データベース１８３に格納してここから送ることができる。ウェブ上に欠陥のあるデバイスがある場合、最終集合体の一部にならないように、欠陥デバイスを含む領域にマークを付け、ウェブから除去して廃棄することができる。データベースは、ウェブから除去された欠陥のあるデバイス又はアッセンブリに取って代わることができるように、追加の量のエンコーディング情報を保持することができる。
【００２８】
次に、ウェブ及びＲＦＩＤデバイスのテスト後、ウェブは、個別の集合体にスリット付け／カットして１９０で収集することができる。この地点から、収集されたラベルのロール又はウェブは、製造場所に運ぶことができ、その後、ラベル集合体は、複数の消費財などの所望の物品に付着することができる。
【００２９】
ここで、例示的な図２を参照すると、剥離及び再シールラベル集合体２００が示されている。ラベル集合体２００は、複数のプライから成ることができる。例示的な実施形態において、ラベル集合体２００は、プライ２０１、２０２、２０３、及び２０４を含むことができ、エンドユーザ用途の要件に応じて、各プライは他のプライと同じ寸法とすること、もしくは異なる寸法とすることができる。加えて、シート、層、又はプライは、本明細書で以下に説明するように減少していく半径を備えた１又は２以上の角部を有することができる。
【００３０】
ラベル集合体２００の各プライは、表示（ｉｎｄｉｃｉａ）又は印刷物を備えることができる。表示は、随意的に固定及び／又は不定（可変）表示とすることができる。ラベル集合体２００の各プライ２０１、２０２、２０３、２０４は、例えば、英語２１０、フランス語２２０、さもなければ当業者であれば理解できるような、異なる言語で書かれた同じ情報を含むことができる。例示的な情報としては、衣類の取扱情報、可燃性又は燃焼の詳細情報、消費者食品に関する成分、消費財に関する使用指示、順守又は持続可能性（サステナビリティ）情報、又はラベル集合体上に含めることが望まれる他の情報を挙げることができる。
【００３１】
シート又はプライは、バックパネル２０５によって支持することができ、バックパネル２０５の上にも情報を印刷することができる。例示的な実施形態において、ラベル集合体２００は、例えば、ラベル集合体２００全体の構造体を一体にすることができる接着剤を利用して、側端２３０に沿って結合することができる。集合体は、側端に沿って結合されるように示されているが、代替的に、上端又は下端、もしくは各端の組み合わせに沿って結合されることを理解されたい。複数の辺が接合される場合、ラベル集合体２００は、周縁エッジを除去して集合体を開けるか又は個別のシート又はプライをスタックから分離するのを可能にする、折り目２３２もしくは断裂開封特徴部を備えることができる。もしくは、ベース／バックプライ又はシートは、随意的に、スタックを支持するためのウエットＲＦＩＤインレイとすることができる。
【００３２】
さらに例示的な図２を参照すると、ラベル集合体２００は、例えば集合体の２から７の間の独立した層である、任意数の層を含むことができる。ラベル集合体２００は、製造場所に存在する場合があるラベルプリンタ及びアプリケータによる処理を妨げるサイズ、厚さを超えないか、もしくはこれらによる処理を妨げる特性を有していない。すなわち、厚さは、システム内で紙詰まりが生じないように、プリンタの供給機構と印刷ヘッドとの間といったプリンタのニップを通過するためのラベルストック材の最大厚さ未満である必要がある。
【００３３】
ここで例示的な図２ａを参照すると、ラベル集合体２００は、衣料、衣類、アクセサリ商品２５５などの消費財２５０に取り付けることができる。この実施例において、ラベル集合体２００は、衣類又は衣料商品の洗濯又は保管に関連する取扱表示２１０を提示することができる。上部プライ又は層は、例えば英語で印刷されている。また、ラベル集合体２００は、例示的な図６に関して以下に説明するようなホタテ貝様の又は減少していく半径の角部２１５を含むことができる。また、ラベル集合体は、通し番号、ロット番号、バーコードなどの不定印刷情報を含むことができ、これはＲＦＩＤと共に使用される場合に印刷情報をＲＦＩＤデバイスのエンコーディングに一致させるために使用することができる。
【００３４】
前述のように、ラベル集合体の個別のシート又はプライ上に提示することができる印刷物又は画像は、随意的に静的又は固定印刷物を含むことができる。固定印刷物は、シート間で不変であり、例えば、衣類又は衣料商品に関連するサイズ情報、取扱ラベルシンボルとすることができる。不定印刷物はシート間で変えることができ、例えば、異なる言語の印刷情報、又は所定の管轄区域に現れる異なる法令又は規制要件の印刷物では必要となる。
【００３５】
例示的な図３及び図４を参照すると、様々なアンテナ組立体をラベル集合体の中に含むことができる。遠距離場アンテナ３０５は、ラベル構造体のベース層３００に含めることができ、遠距離場アンテナ３０５は、第１のＩＤを備えたチップ３１０を有することができる。ラベルの他の層の一連の近距離場素子４０５、４１０、４１５、及び４２０は、ラベルのベース層３００内の第１のＲＦＩＤデバイスアンテナの中央ループ３１０に結合し、これによりスタックにその後の識別情報を付加する。近距離場素子４０５、４１０、４１５、及び４２０は、ラベルが積み重ねられる場合に実質的に同軸になるように配置することができるが、代替的に、図４に示すように整列しないように配置をずらしてもよい。近距離場素子４０５、４１０、４１５、及び４２０、並びに遠距離場アンテナ３０５は、複合スタックのチューニングが、例えば、ＵＨＦ、ＨＦ、ＬＦ周波数帯域の所望の周波数となるように配置することができる。
【００３６】
また、ラベル集合体２００には、走査可能コード４３０を印刷することができ、これによってユーザはスマートデバイスでコードを読み取り、その後、ラベル集合体にリンクされている情報をダウンロードすることができる。一部の例示的な実施形態において、走査可能コード４３０は、例えばバーコードとすることができる。コードを走査することで、ユーザは、例えば衣類に関する取扱情報をユーザデバイスにダウンロードすることができる。他の例示的なダウンロード情報としては、サステナビリティ情報及びラベル集合体２００が取り付けられている商品の製造に関する活動（ａｃｔｉｖｉｔｙ）情報を挙げることができる。本実施例では、ラベル集合体２００が衣類に取り付けられる場合、衣類が作られる製造設備の労働条件、並びに特定の衣類を作る原料材料（例えば、繊維、染料）、並びに衣類に関する梱包及び装飾製品を照合することができる。
【００３７】
例示的な図５は、遠距離場アンテナ構造体５００並びにラベル集合体の他の層内の近距離場アンテナ５１０及び５２０の他の構成を提示することができる。ラベル集合体のベース層は、一連の結合位置を有し、結合位置でラベル集合体の他の層内の近距離場デバイスがリンクして識別情報の複合型遠距離場デバイスを形成する。前述のように、共用アンテナに関するチューニング及び配置位置は、スタックの所望の作動周波数をもたらすように配列される。
【００３８】
例示的な図６を参照すると、ラベル集合体６００は、複数の個別のシート、プライ、又は層６１２、６２２、６３２、６４２、及び６５２を含むことができる。個別のシートは、シートインジケータを含むことができる。個別のシートが異なる言語で表された情報を有することができる例示的な実施形態において、言語インジケータ６１０、６２０、６３０、６４０、及び６５０を各シート上に提供することができる。例えば、例示的な図６に示すように、異なる言語は、英語（ＵＫ）、ドイツ語（ＤＥ）、スペイン語（ＥＳ）、中国語（ＣＮ）、及びフランス語（ＦＲ）として指定することができる。しかしながら、当業者は、シート又は層のインジケータが、シート上に表示された任意の所望の印刷物として利用できることを理解するであろう。シートインジケータの使用によって、ユーザは、所望のシートを素早く選択して、提示されている情報を読むことができる。
【００３９】
また、例示的な図６は、各プライ又はシート６１４、６２４、６３４、６４４、及び６５４の減少していく角部半径を示しており、これにより、ユーザは、関連の言語又は使用説明を有する特定のシート又はプライを素早く選択することができる。減少していく角部半径は、随意的に、集合体の１つの角部のみに設けることができるが、別の実施形態において、減少していく角部半径は、ラベル集合体の複数の角部に設けることができる。角部の減少量は、大きさの点ではほぼ同じとすることができるが、エンドユーザの好み又は装置性能に応じてスタック内で変えてもよい。
【００４０】
本明細書に記載の例示的な実施形態において、ベースロールは、サービス機関によって処理可能とすることができ、サービス機関は、ベースロールからのウェブの各部分を増分する逐次形式を用いて基準として印刷することができる。例えば、７ページのラベルを作りたい場合、本明細書に記載の方法及びシステムは、全ての７枚のラベルを連続的に印刷して、７枚のラベルを１つに、すなわち単一のラベルに集合する（ｃｌａｓｓ）又は集めることができる。７枚の連続するラベルは、ポストフィニッシングラベルアプリケータを使用して重なり合わせて層状にすることができる。
【００４１】
さらに、一部の例示的な実施形態において、ＲＦＩＤインレイのようなウェットインレイ上に毎分約１００層を施工することができる。ＲＦＩＤインレイは、例えば、Ａｖｅｒｙ  Ｄｅｎｎｉｓｏｎ社から入手可能なＲＦＩＤインレイに限定されない所望の何らかのＲＦＩＤインレイとすることができる。ウェットインレイを有する実施形態において、ウェットインレイは、任意の所望のタイプとすることができ、例えば、「ＡＤ３８ｘ」ナローエッジリーディング（Ｎａｒｒｏｗ  ｅｄｇｅ  ｌｅａｄｉｎｇ）インレイである。これらのインレイは、横方向及び機械方向の両方においてピッチが合っており、例えば機械方向で約６０ｍｍ、横方向で約４０ｍｍであるが、必要に応じて任意の他の寸法を利用できることが理解できる。加えて、ＲＦＩＤインレイのエンコーディングは、層／適用部において、又は必要に応じて任意の他の方法で行うことができる。例示的な実施形態において、各ステップは、実行可能なワンアップ、ツーアップ、又は任意の所望の方法で行うことができる。
【００４２】
本明細書で使用されるＲＦＩＤインレイは、例えば紙又はプラスチック（ＰＥＴ）の基板を含むことができ、この基板上に、アルミニウムなどの導電材料からアンテナを形成することができ、チップは、アンテナの予め設定されたリード線に結合して接続を形成することができる。チップは、ストラップ又は他のフレーム組立体を介して結合することができる。
【００４３】
ウェブ又はラベルプライの印刷物は、ＲＦＩＤインレイのチップ上にもエンコードされる情報を含むことができる。このような情報としては、製品情報、価格、バーコード、製造日、出荷日、賞味期限、製品コンプライアンス又は情報、又は製造業又は小売り業者が使用を望む場合がある任意の他の関連情報を挙げることができる。
【００４４】
前述の説明及び関連の図面は、本発明の原理、好ましい実施形態、及び作動モードを例示する。しかしながら、本発明は、前述の特定の実施形態に限定されると解釈すべきではない。当業者であれば前述の実施形態のさらなる変形例を理解できるはずである。
【００４５】
従って、前述の実施形態は、限定的ではなく例示的と見なすべきである。従って、当業者であれば、特許請求の範囲に定義されるような本発明の範疇から逸脱することなく、これらの実施形態に対する変形例を作り出せることを理解されたい。
【符号の説明】
【００４６】
２００  ラベル集合体
２１０  取扱表示
２１５  減少していく半径の角部
２５０  消費財
２５５  衣料品
【図１】
2018522277.tif 000003
【図１ａ】
2018522277.tif 000004
【図１ｂ】
2018522277.tif 000005
【図２】
2018522277.tif 000006
【図２ａ】
2018522277.tif 000007
【図３】
2018522277.tif 000008
【図４】
2018522277.tif 000009
【図５】
2018522277.tif 000010
【図６】
2018522277.tif 000011
【国際調査報告】
2018522277.tif 000012
2018522277.tif 000013
2018522277.tif 000014